(57)【要約】【課題】暖房運転単独実施時に給湯運転が開始されても給湯温度がアンダーシュートするの防止できる１缶３回路式給湯装置を提供する。【解決手段】バーナ部２と、バーナ部２の燃焼で内方の熱媒体が加熱される暖房用熱交缶体１と、暖房用熱交缶体１内に給湯用熱交換器４を備えた給湯回路Ｂとを備え、給湯回路Ｂには給湯量を調整する水比例弁２４を設け、水比例弁２４は、暖房運転が単独に行なわれる場合は給湯量が少なくなる待機時開度に動作させておくので、暖房運転が単独で実施される状態で給湯運転が開始されても水比例弁２４の待機開度を絞ってあるために給湯量が抑えられていることで、暖房運転が単独で実施される状態で缶体目標温度が低く設定されていても、給湯温度が給湯設定温度より低くなってしまうアンダーシュートを防止することができるものである。【選択図】  図３
2019090581.tif 000002
【特許請求の範囲】
【請求項１】
バーナ部と、該バーナ部の燃焼で内方の熱媒体が加熱される暖房用熱交缶体と、該暖房用熱交缶体内の熱媒体の温度を検知する缶体内温度検知手段と、前記暖房用熱交缶体内に給湯用熱交換器を備え、給水を加熱された前記熱媒体で間接加熱して給湯を行う給湯回路とを備え、前記給湯回路には給湯量を調整する水比例弁を設け、少なくとも前記給湯回路による給湯運転が行なわれる場合は缶体内目標温度を第１の目標温度に設定し、前記暖房用熱交缶体内の熱媒体による暖房運転が単独に行なわれる場合は缶体内目標温度を第１の目標温度より低い第２の目標温度に設定するものに於いて、前記水比例弁は、暖房運転が単独に行なわれる場合は給湯量が少なくなる待機時開度に動作させておくことを特徴とする１缶多回路式給湯装置。
【請求項２】
前記暖房運転が単独に行なわれる場合で、缶体の温度が第２の目標温度より高い第３の目標温度以上で且つ給湯設定温度が所定温度以下の時は、水比例弁は給湯量が少なくなる待機時開度に動作させないことを特徴とする請求項１記載の１缶多回路式給湯装置。
【請求項３】
前記水比例弁の待機時開度は、暖房運転の有無と、設定された給湯設定温度と、缶体内温度検知手段により検知される暖房用熱交缶体内の熱媒体の温度とにより決定することを特徴とする請求項１記載の１缶多回路式給湯装置。
【請求項４】
前記水比例弁は、前記待機時開度に動作されている状態で給湯運転が開始されたとき、給湯給湯運転開始から所定時間経過したら、その所定時間経過後から開度を徐々に開くようにしたことを特徴とする請求項１〜３記載の１缶多回路式給湯装置。
【発明の詳細な説明】
【技術分野】
【０００１】
本発明は、１つの缶体で、少なくとも給湯回路と暖房回路とを有する１缶多回路式給湯装置に関するものである。
【背景技術】
【０００２】
従来、この種のものに於いては、暖房用の熱媒体が貯溜された缶体内に、給湯用熱交換器や風呂用熱交換器を備え、暖房、給湯、風呂の追い炊きや保温をそれぞれ良好に行うものであった。（例えば、特許文献１参照。）
【０００３】
又、給水管に、給湯温度が給湯設定温度以下になることで作動して給湯流量を絞る水比例弁を備え、この水比例弁の作動を停止させる目標制御温度を、給湯設定温度に応じて切替るようにするものがあった。（例えば、特許文献２参照。）
【先行技術文献】
【特許文献】
【０００４】
【特許文献１】特開２００１−６５８８４号
【特許文献２】特開２００４−２１８９７３号
【発明の概要】
【発明が解決しようとする課題】
【０００５】
ところで、この従来のものでは、給湯運転を行なう場合、缶体内の給湯用熱交換器で熱交換して給湯を行なうので、缶体内の熱媒体の目標温度を８５℃の高温に設定して給湯運転を行なうが、暖房運転では直接缶体内の熱媒体を循環させて暖房運転を行なうことで熱交換器での熱交換の損失が無く、又、暖房器具に供給する熱媒体の温度も７０℃位でよいことから暖房運転単独の時は缶体内の熱媒体の目標温度を７０℃のやや高温に設定して暖房運転単独を行なっていた。
【０００６】
その状態で給湯栓が開いて給湯要求があった時、給湯設定温度が例えば４５℃以上の高い温度に設定されていると、給湯用熱交換器での熱交換が間に合わず、出湯されるお湯の温度が給湯設定温度よりも低い温度になってしまうというアンダーシュートが発生するという問題があった。
【課題を解決するための手段】
【０００７】
上記課題を解決するために、本発明の請求項１では、バーナ部と、該バーナ部の燃焼で内方の熱媒体が加熱される暖房用熱交缶体と、該暖房用熱交缶体内の熱媒体の温度を検知する缶体内温度検知手段と、前記暖房用熱交缶体内に給湯用熱交換器を備え、給水を加熱された前記熱媒体で間接加熱して給湯を行う給湯回路とを備え、前記給湯回路には給湯量を調整する水比例弁を設け、少なくとも前記給湯回路による給湯運転が行なわれる場合は缶体内目標温度を第１の目標温度に設定し、前記暖房用熱交缶体内の熱媒体による暖房運転が単独に行なわれる場合は缶体内目標温度を第１の目標温度より低い第２の目標温度に設定するものに於いて、前記水比例弁は、暖房運転が単独に行なわれる場合は給湯量が少なくなる待機時開度に動作させておくものである。
【０００８】
また、請求項２では、前記暖房運転が単独に行なわれる場合で、缶体の温度が第２の目標温度より高い第３の目標温度以上で且つ給湯設定温度が所定温度以下の時は、水比例弁は給湯量が少なくなる待機時開度に動作させないものである。
【０００９】
また、請求項３では、前記水比例弁の待機時開度は、暖房運転の有無と、設定された給湯設定温度と、缶体内温度検知手段により検知される暖房用熱交缶体内の熱媒体の温度とにより決定するものである。
【００１０】
また、請求項４では、前記水比例弁は、前記待機時開度に動作されている状態で給湯運転が開始されたとき、給湯給湯運転開始から所定時間経過したら、その所定時間経過後から開度を徐々に開くようにしたものである。
【発明の効果】
【００１１】
この発明の請求項１によれば、水比例弁は、暖房運転が単独に行なわれる場合は給湯量が少なくなる待機時開度に動作させておくので、暖房運転が単独で実施される状態で給湯運転が開始されても水比例弁の待機開度を絞ってあるために給湯量が抑えられていることで、給湯温度が給湯設定温度より低くなってしまうアンダーシュートを防止することができるものである。
【００１２】
又、請求項２によれば、前記暖房運転が単独に行なわれる場合で、缶体の温度が第２の目標温度より高い第３の目標温度以上で且つ給湯設定温度が所定温度以下の時は、水比例弁は給湯量が少なくなる待機時開度に動作させないので、暖房運転が単独で実施されて缶体目標温度が低く設定され、その状態で給湯運転が開始されてもアンダーシュートが発生しない場合を判断でき、暖房運転が単独で実施される場合に水比例弁の待機開度を絞る状態を少なくして給湯運転の使い勝手の悪化を低減できるものである。
【００１３】
又、請求項３によれば、前記水比例弁の待機時開度は、暖房運転の有無と、設定された給湯設定温度と、缶体内温度検知手段により検知される暖房用熱交缶体内の熱媒体の温度とにより決定するので、給湯運転開始時に給湯温度が給湯設定温度より低くなってしまうアンダーシュートが発生するのを防止できる給湯量の最大量を常に供給することができ、水比例弁の待機時開度を絞ることによる給湯運転開始時の給湯量の制限を最小限にすることができるものである。
【００１４】
又、請求項４によれば、前記水比例弁は、前記待機時開度に動作されている状態で給湯運転が開始されたとき、給湯給湯運転開始から所定時間経過したら、その所定時間経過後から開度を徐々に開くようにしたので、水比例弁の待機開度を絞っておいて給湯用熱交での熱交換が十分行えているうちに、缶体温度が第２の缶体目標温度の７０℃から第１の缶体目標温度の８５℃に上昇し、その缶体温度の上昇に合わせて給湯量を増加し、給湯温度が給湯設定温度より低くなってしまうアンダーシュートが発生するのを防止しつつ、給湯量を通常の水比例弁の開度が全開の１００％の時の給湯量に戻すことができるものである。
【図面の簡単な説明】
【００１５】
【図１】この発明一実施例を付した１缶３回路式給湯装置の概略構成図。
【図２】同要部ブロック図。
【図３】同水比例弁の待機時開度制御のフローチャート図。
【図４】同他の実施形態に係る水比例弁の待機時開度制御のフローチャート図。
【発明を実施するための形態】
【００１６】
次に、この発明の一実施形態を図面に基づいて説明する。
１は下部に加熱用のバーナ部２を備える燃焼室３を形成した暖房用の缶体で、この缶体１内方には蛇管による間接加熱式の給湯用の熱交換器を構成する給湯用熱交４と、蛇管による間接加熱式の風呂焚き用の熱交換器を構成する風呂用熱交５とを上下に配設し、温水暖房を行うと共に給湯及び風呂焚きを同時またはそれぞれ単独でも行えるようにしたものである。
【００１７】
先ず、暖房回路Ａについて説明すると、６は暖房往き管、７は例えば床暖房パネル等の暖房用放熱器、８は暖房戻り管、９は暖房用循環ポンプ、１０は気液分離器、１１は暖房用膨張タンク、１２は開閉弁１３が設けられた暖房バイパス管、１４は暖房用の缶体１の温度制御に用いる缶体温度センサからなる缶体内温度検知手段１４で、缶体１にてバーナ部２の燃焼で第２の缶体目標温度（７０℃以上）まで加熱された熱媒体が、暖房用循環ポンプ９により暖房往き管６を介して暖房用放熱器７に送られて暖房を行い、暖房用放熱器７で放熱した低温水（約３０℃〜５０℃程度）が暖房戻り管８を介して暖房用缶体１に戻り再度制御目標温度まで加熱されて循環するものである。
【００１８】
次に給湯回路Ｂについて説明すると、１５は水道に接続された給水管、１６は水の流量を検知する給湯流量センサ、１７は給湯用熱交４で加熱された温水を出湯する給湯管、１８は給湯栓、１９はミキシング弁２０を介して給湯管１７に接続され給水管１５と給湯管１７とを連通する給湯バイパス管、２１は給湯栓１８の閉止時の熱膨張を吸収する給湯用膨張タンク、２２は給水温度センサ、２３は給湯温度センサで、給湯栓１８が開かれて給湯流量センサ１６が最低作動流量を検知すると、缶体１内の熱媒体の温度を第１の缶体目標温度の約８５℃程度の高温に維持するようバーナ部２で燃焼を行い、給水管１５からの冷水が給湯用熱交４で缶体１内の高温の熱媒体により間接加熱され、ミキシング弁２０で水道水と混合され適温に調節されて給湯栓１８から給湯されるもので、前記給水管１５には能力オーバー時に給湯量を絞る水比例弁２４が備えられているものである。
尚、この水比例弁２４は、給湯管１７に備えてもよいものである。
【００１９】
次に風呂回路Ｃについて説明すると、２５は風呂浴槽、２６は風呂往き管、２７は風呂戻り管、２８は戻り管２９に設けられた風呂循環ポンプ、２９は循環の有無を検知する流水スイッチ、３０は風呂温度センサで、浴槽２５内の湯の沸かし上げ要求があると、缶体１内の熱媒体の温度を第１の缶体目標温度の約８５℃程度の高温に維持するようバーナ部２で燃焼を行い、浴槽２５内の湯を風呂循環ポンプ２８で風呂用熱交５に循環させ、浴槽内の湯が暖房用缶体１内の高温の熱媒体により間接加熱されることで浴槽２５内の湯を適温まで沸かし上げたり保温したりするものである。
【００２０】
そして、３１は給湯回路Ｂの給湯管１７から分岐されて風呂回路Ｃに湯張り弁３２及び三方弁３３を介して接続される湯張り管で、風呂の湯張り要求があると三方弁３３を風呂回路Ｃと湯張り管３１とを連通するよう切り換えると共に湯張り弁３２を開弁し、給湯用熱交４で加熱された湯を風呂回路Ｃ内に流入させて風呂浴槽２８への一定量の湯張りを行うものである。
【００２１】
ここで、３４は暖房用缶体１の上下部を結ぶ連通パイプ、３５はこの連通パイプ３４途中に備えられた撹拌用循環ポンプで、給湯時または風呂運転時に駆動して、暖房用缶体１内の温度を上下均一化させるもので、給湯または風呂運転が終了するまで継続駆動して撹拌を行うものである。尚、暖房運転時は暖房用循環ポンプ９が駆動されているため、撹拌用循環ポンプ３５は駆動しないようにすることも可能である。
【００２２】
３６はマイコンから構成された制御部で、入力側には給湯温度センサ２３及び、給湯温度を適宜希望の温度に設定する給湯温度設定手段３７、風呂の浴槽水の温度を適宜希望の温度に設定する風呂温度設定手段３８、浴槽水を前記風呂温度設定手段３８で設定した温度に加熱する風呂追焚き運転スイッチ３９、暖房運転の開始及び停止を行なう暖房転スイッチ４０、給湯流量センサ１６、給水温度センサ２２、缶体内温度検知手段１４、流水スイッチ２９、風呂温度センサ３０がそれぞれ接続され、出力側にはバーナ部２及び、ミキシング弁２０、水比例弁２４、暖房用循環ポンプ９、開閉弁１３、風呂循環ポンプ２８、湯張り弁３２、三方弁３３、撹拌用循環ポンプ３５、時間を計時するタイマー４１がそれぞれ接続されており、暖房運転、給湯運転、風呂の湯張り運転や追焚き運転、バーナ部２の燃焼制御を行なうものである。
【００２３】
次にこの一実施形態の作動について説明する。
先ず、暖房運転を説明すれば、暖房運転が開始されると、缶体内温度検知手段１４が暖房用缶体１内の温度を検知し、缶体内温度が第３の缶体目標温度の７５℃以上になるとバーナ部２の燃焼を停止し、缶体内温度が第４の缶体目標温度の６５℃以下になるとバーナ部２の燃焼を開始することにより、缶体内温度が約７０℃になるようにバーナ部２の燃焼を制御すると共に、暖房用循環ポンプ９を駆動して暖房用缶体１内の高温となった温水や循環液や不凍液等の熱媒体を暖房用放熱器７に流通し、再び暖房用缶体１に戻す循環を繰り返して、暖房用放熱器７によって室内の暖房を行うものである。
【００２４】
次に給湯運転は、給湯栓１８が開かれて給湯運転が開始されると缶体内温度検知手段１４が暖房用缶体１内の温度を検知し、この温度が約８５℃になるようにバーナ部２の燃焼を制御すると共に、給水管１５からの低温の水は給湯用熱交換器４で暖房用缶体１内の高温の熱媒体により間接加熱されると同時に、撹拌用循環ポンプ３５を駆動し連通パイプ３４を介して暖房用缶体１の下部にある湯を暖房用缶体１上部に供給して暖房用缶体１の撹拌を行い、暖房用缶体１内の上と下の温度差をなくし、常に同一の熱交換効率で熱交換できるようにして所望の温度の湯が供給されるものである。
【００２５】
次に風呂運転は、図示しないリモコンの風呂保温スイッチをＯＮした等の浴槽２６内の湯の沸かし上げ要求があると、風呂用循環ポンプ２９を駆動して浴槽２６内の湯を風呂用熱交換器５に循環させて、高温に保持された暖房用缶体１内の熱媒体で加熱して浴槽２６内の湯を所望の温度に追い焚きしたり保温したりするもので、風呂温度センサ３１が所望の温度を検知すると自動的に停止されるものである。
【００２６】
次に給湯運転が開始される前の水比例弁２４の待機開度の制御を図３に示すフローチャートに従って説明する。
まず暖房運転のみが運転されている状態、つまり暖房運転が単独で実施されているかを判定し（Ｓ１）、暖房運転が単独で実施されていない場合、つまり全ての運転が行なわれていない場合や少なくとも給湯運転又は風呂追焚き運転が行なわれている場合、缶体目標温度を高温の第１の缶体目標温度である８５℃に設定し（Ｓ２）、そして水比例弁２４の待機開度を全開状態の１００％に設定して（Ｓ３）、（Ｓ１）に戻るものである。
【００２７】
又、（Ｓ１）で暖房運転が単独で実施されていると判定した場合、缶体目標温度を第１の缶体目標温度の８５℃よりも低い第２の缶体目標温度である７０℃に設定する。（Ｓ４）
そして次に缶体内温度検知手段１４が検知する缶体温度が、第２の缶体目標温度よりも高い７５℃以上かを判定し（Ｓ５）、缶体温度が７５℃以上の場合は、暖房用缶体１内に十分熱量があると判断する。
ここで（Ｓ５）で、缶体温度が、第２の缶体目標温度よりも高い７５℃以上かを判定するのは、第２の缶体目標温度７０℃の場合、バーナ部２の燃焼により缶体温度が第３の缶体目標温度７５℃に上昇してバーナ部２の燃焼を停止しても、その後缶体温度は７５℃以上にまで上昇するオーバーシュートを起こすので、缶体温度が７５℃以上かを（Ｓ５）で判定するものである。
【００２８】
そして次に給湯温度設定手段３７にて設定されている給湯温度が給湯では高温な４５℃以上かを判定し（Ｓ６）、設定されている給湯設定温度が４５℃以上の場合は、給湯開始により暖房用缶体１内の熱媒体の熱が給湯用熱交４により一気に熱交換され、給湯が開始されて缶体目標温度を第２の缶体目標温度の７０℃から第１の缶体目標温度の８５℃に変更しても、給湯用熱交４で温水を加熱するのが不足してアンダーシュートする可能性があると判断して、水比例弁２４を閉じる方向に動作させて待機開度を７５％に設定するものである。（Ｓ７）
【００２９】
又、（Ｓ６）で設定されている給湯設定温度が４５℃未満の場合は、給湯設定温度が４５℃以上の場合に比べて給湯開始により暖房用缶体１内の熱媒体の熱が給湯用熱交４により熱交換されるのが少なく、給湯が開始されて缶体目標温度を第２の缶体目標温度の７０℃から第１の缶体目標温度の８５℃に変更すれば、給湯用熱交４で温水を十分に加熱でき、アンダーシュートする可能性はないと判断して、水比例弁２４の待機開度を全開状態の１００％に設定するものである。（Ｓ８）
【００３０】
これにより暖房運転が単独で実施されていると判定し、缶体目標温度を第１の缶体目標温度の８５℃よりも低い第２の缶体目標温度である７０℃に設定した場合でも、その時の缶体温度が高温で、且つ給湯設定温度が低い場合は、暖房運転が単独で実施される状態で給湯運転が開始されても給湯温度が給湯設定温度より低くなってしまうアンダーシュートが発生する可能性はないと判断して、水比例弁２４の待機開度を全開状態の１００％に設定するので、暖房運転が単独で実施されて缶体目標温度が低く設定され、その状態で給湯運転が開始されてもアンダーシュートが発生しない場合を判断でき、暖房運転が単独で実施される場合に水比例弁２４の待機開度を絞る状態を少なくして使い勝手の悪化を低減できるものである。
【００３１】
又、（Ｓ５）で缶体内温度検知手段１４が検知する缶体温度が、第２の缶体目標温度よりも高い７５℃未満の場合、暖房用缶体１内には十分な熱量がないと判断し、次に給湯温度設定手段３７にて設定されている給湯設定温度が給湯では高温な４５℃以上かを判定し（Ｓ９）、設定されている給湯設定温度が４５℃以上の場合は、給湯開始により暖房用缶体１内の熱媒体の熱が給湯用熱交４により一気に熱交換され、給湯が開始されて缶体目標温度を第２の缶体目標温度の７０℃から第１の缶体目標温度の８５℃に変更しても、給湯用熱交４で温水を加熱するのが不足してアンダーシュートする可能性が缶体温度が７５℃以上の場合よりも高いと判断して、水比例弁２４を閉じる方向に動作させて待機開度を缶体温度が７５℃以上の場合よりも絞って７０％に設定するものである。（Ｓ１０）
【００３２】
又、（Ｓ９）で設定されている給湯設定温度が４５℃未満の場合は、給湯設定温度が４５℃以上の場合に比べて給湯開始により暖房用缶体１内の熱媒体の熱が給湯用熱交４により熱交換されるのが少ないものの、缶体温度が第２の缶体目標温度よりも高い７５℃未満で暖房用缶体１内に十分な熱量がないと判断し、給湯が開始されて缶体目標温度を第２の缶体目標温度の７０℃から第１の缶体目標温度の８５℃に変更しても、給湯用熱交４で温水を加熱するのが不足してアンダーシュートする可能性があると判断して、水比例弁２４を閉じる方向に動作させて待機開度を７５％に設定するものである。（Ｓ１１）
【００３３】
そして前記（Ｓ７）、（Ｓ８）、（Ｓ１０）、（Ｓ１１）で水比例弁２４の待機開度を決定して動作させた後、給湯栓１８が開かれて給湯運転が開始されかを検知し、給湯運転が開始されなければ（Ｓ１）に戻り、給湯運転が開始されれば、缶体目標温度を第２の缶体目標温度の７０℃から第１の缶体目標温度の８５℃に設定し（Ｓ１３）、次にタイマー４１を動作させて計時を開始する。（Ｓ１４）
【００３４】
そして（Ｓ１４）でタイマー４１の計時時間が所定時間、本実施例では３０秒を経過したかを判定し（Ｓ１５）、（Ｓ１５）でタイマー４１の計時時間が３０秒を経過した時、以後１０秒経過毎に水比例弁２４の開度を５％開き（Ｓ１６）、次に水比例弁２４の開度が１００％以上になったかを判定し（Ｓ１７）、水比例弁２４の開度が１００％以上になった時は（Ｓ１）に戻り、水比例弁２４の開度が１００％以上になっていない時は、給湯運転が停止していないか確認し（Ｓ１８）、給湯運転が停止していれば（Ｓ１）に戻り、給湯運転が停止していなければ（Ｓ１６）に戻るものである。
【００３５】
以上のように、暖房運転が単独で実施される場合は給湯回路の水比例弁２４の待機開度を絞っておくので、暖房運転が単独で実施される状態で給湯運転が開始されても水比例弁２４の待機開度を絞ってあるために給湯量が抑えられていることで、給湯温度が給湯設定温度より低くなってしまうアンダーシュートを防止することができるものである。
【００３６】
つまり、暖房運転が単独で実施される場合の缶体目標温度が、それ以外の時の缶体目標温度８５℃に対して７０℃と低い温度に設定するため、暖房運転が単独で実施される場合は燃料を節約でき、暖房運転が単独で実施される状態で給湯運転が開始されると水比例弁２４の待機開度が全開の１００％の場合、給湯用熱交４での熱交換が間に合わずに給湯温度が給湯設定温度より低くなってしまうアンダーシュートが発生するが、房運転が単独で実施される場合に水比例弁２４の待機開度を絞っておくことで、給湯用熱交４での熱交換が十分行えて給湯温度が給湯設定温度より低くなってしまうアンダーシュートが発生するのを防止できるものである。
【００３７】
又、暖房運転が単独で実施される状態で給湯運転が開始されてから所定時間経過後、徐々に水比例弁２４の開度を開けて行くので、水比例弁２４の開度が全開になるまで一定時間の間隔で水比例弁２４の開度を所定角度ずつ開けてゆくことで、水比例弁２４の待機開度を絞っておいて給湯用熱交４での熱交換が十分行えているうちに、缶体温度が第２の缶体目標温度の７０℃から第１の缶体目標温度の８５℃に上昇し、その缶体温度の上昇に合わせて給湯量を増加し、給湯温度が給湯設定温度より低くなってしまうアンダーシュートが発生するのを防止しつつ、給湯量を通常の水比例弁２４の開度が全開の１００％の時の給湯量に戻すことができるものである。
【００３８】
次に給湯運転が開始される前の水比例弁２４の待機開度の制御の他の実施形態について図４に示すフローチャートに従って説明する。
尚、図３のフローチャートと同じステップは同じ番号とし、同じステップの説明は省略するものである。
【００３９】
図３のフローチャートの給湯運転が開始される前の水比例弁２４の待機開度の制御は、暖房運転が単独で実施される状態の時に水比例弁２４の待機開度を絞る制御に対して、図４のフローチャートの給湯運転が開始される前の水比例弁２４の待機開度の制御は、暖房運転が単独で実施される状態以外の時も水比例弁２４の待機開度を絞る制御である。
【００４０】
まず暖房運転のみが運転されている状態、つまり暖房運転が単独で実施されているかを判定し（Ｓ１）、暖房運転が単独で実施されていない場合、つまり全ての運転が行なわれていない場合や少なくとも給湯運転又は風呂追焚き運転が行なわれている場合、缶体目標温度を高温の第１の缶体目標温度である８５℃に設定し（Ｓ２）、次に給湯運転が実施されているかを判定する。（Ｓ１９）
【００４１】
そして（Ｓ１９）で給湯運転が実施されていると判定した時は、水比例弁２４の開度を全開の１００％に設定し（Ｓ２０）、（Ｓ１）に戻るものである。
又、（Ｓ１９）で給湯運転が実施されていないと判定した時は、次に缶体温度センサ１４が検知する缶体温度が、第２の缶体目標温度よりも高い７５℃以上かを判定し（Ｓ２１）、缶体温度が７５℃以上の場合は、暖房用缶体１内に十分熱量があると判断する。
【００４２】
そして次に給湯温度設定手段３７にて設定されている給湯温度が給湯では高温な４５℃以上かを判定し（Ｓ２２）、設定されている給湯温度が４５℃以上の場合は、缶体温度が第１の缶体目標温度の８５℃であれば給湯運転が開始されても給湯用熱交４で温水を十分に加熱でき、アンダーシュートする可能性はないが、缶体目標温度が高温の第１の缶体目標温度の８５℃であっても、缶体温度が暖房用缶体１内に十分熱量があると判断する温度の７５℃から第１の缶体目標温度の８５℃の間の温度であったときは、給湯用熱交４で温水を加熱するのが不足してアンダーシュートする可能性がいくらかあると判断して、水比例弁２４を少し閉じる方向に動作させて待機開度を９０％に設定するものである。（Ｓ２３）
【００４３】
又、（Ｓ２２）で設定されている給湯温度が４５℃未満の場合は、給湯設定温度が４５℃以上の場合に比べて給湯開始により暖房用缶体１内の熱媒体の熱が給湯用熱交４により熱交換されるのが少なく、缶体目標温度が第１の缶体目標温度の８５℃なので、給湯運転が開始されても給湯用熱交４で温水を十分に加熱でき、アンダーシュートする可能性はないと判断して、水比例弁２４の待機開度を全開状態の１００％に設定するものである。（Ｓ２４）
【００４４】
又、（Ｓ２１）で缶体温度センサ１４が検知する缶体温度が、第２の缶体目標温度よりも高い７５℃未満の場合、暖房用缶体１内には十分な熱量がないと判断し、次に給湯温度設定手段３７にて設定されている給湯温度が給湯では高温な４５℃以上かを判定し（Ｓ２５）、設定されている給湯温度が４５℃以上の場合は、給湯開始により暖房用缶体１内の熱媒体の熱が給湯用熱交４により一気に熱交換され、缶体目標温度が第１の缶体目標温度の８５℃であっても、給湯用熱交４で温水を加熱するのが不足してアンダーシュートする可能性があると判断して、水比例弁２４を閉じる方向に動作させて待機開度を８０％に設定するものである。（Ｓ２６）
【００４５】
又、（Ｓ２５）で設定されている給湯温度が４５℃未満の場合は、給湯設定温度が４５℃以上の場合に比べて給湯開始により暖房用缶体１内の熱媒体の熱が給湯用熱交４により熱交換されるのが少ないものの、缶体温度が第２の缶体目標温度よりも高い７５℃未満で暖房用缶体１内に十分な熱量がないと判断し、缶体目標温度が第１の缶体目標温度の８５℃であっても、給湯用熱交４で温水を加熱するのが不足してアンダーシュートする可能性がいくらかあると判断して、水比例弁２４を少し閉じる方向に動作させて待機開度を９０％に設定するものである。（Ｓ２７）
【００４６】
そして前記（Ｓ２３）、（Ｓ２４）、（Ｓ２６）、（Ｓ２７）で水比例弁２４の待機開度を決定して動作させた後、給湯栓１８が開かれて給湯運転が開始されかを検知し、給湯運転が開始されなければ（Ｓ１）に戻り、給湯運転が開始されれば、缶体目標温度を第１の缶体目標温度の８５℃に設定し（Ｓ１３）、次に（Ｓ１４）へと進むものである。
【００４７】
以上のように、暖房運転が単独で実施される場合は給湯回路の水比例弁２４の待機開度を大きく絞っておくので、暖房運転が単独で実施される状態で給湯運転が開始されても水比例弁２４の待機開度を絞ってあるために給湯量が抑えられていることで、給湯温度が給湯設定温度より低くなってしまうアンダーシュートを防止することができるものである。
【００４８】
つまり、暖房運転が単独で実施される場合の缶体目標温度が、それ以外の時の缶体目標温度８５℃に対して７０℃と低い温度に設定するため、暖房運転が単独で実施される場合は燃料を節約でき、暖房運転が単独で実施される状態で給湯運転が開始されると水比例弁２４の待機開度が全開の１００％の場合、給湯用熱交４での熱交換が間に合わずに給湯温度が給湯設定温度より低くなってしまうアンダーシュートが発生するが、房運転が単独で実施される場合に水比例弁２４の待機開度を絞っておくことで、給湯用熱交４での熱交換が十分行えて給湯温度が給湯設定温度より低くなってしまうアンダーシュートが発生するのを防止できるものである。
【００４９】
又、暖房運転が単独で実施されていない場合は給湯回路の水比例弁２４の待機開度を小さく絞っておくので、缶体目標温度が高温の８５℃の状態であっても設定された給湯設定温度と検知した缶体温度とにより、給湯温度が給湯設定温度より低くなってしまうアンダーシュートが発生する可能性がある場合は、水比例弁２４の待機開度を小さく絞っておくことで給湯量を通常の水比例弁２４の開度が全開の１００％の時の給湯量より小さくし、暖房運転が単独で実施さていない場合でも給湯運転開始時に給湯温度が給湯設定温度より低くなってしまうアンダーシュートが発生するのを防止できるものである。
【００５０】
又、水比例弁２４の待機時開度は、暖房運転の有無と、設定された給湯設定温度と、缶体内温度検知手段１４により検知される暖房用熱交缶体内の熱媒体の温度とにより決定するので、給湯運転開始時に給湯温度が給湯設定温度より低くなってしまうアンダーシュートが発生するのを防止できる給湯量の最大量を常に供給することができ、水比例弁２４の待機時開度を絞ることによる給湯運転開始時の給湯量の制限を最小限にすることができるものである。
【符号の説明】
【００５１】
１  暖房用熱交缶体
２  バーナ部
４  給湯用熱交
１４  缶体内温度検知手段
２４  水比例弁
Ａ  暖房回路
Ｂ  給湯回路
【図１】
2019090581.tif 000003
【図２】
2019090581.tif 000004
【図３】
2019090581.tif 000005
【図４】
2019090581.tif 000006